(57)【要約】【課題】使用者が自ら工夫しつつ組み立てることをも楽しむようにしたものであって、スーパーマーケット等の小売店において購入者に提供される合成樹脂製の買い物袋に代えていわゆる「マイバッグ」ないし「エコバッグ」としても使用することができる収納袋を組立てるための収納袋組立用セットを提供する。【解決手段】収納袋を展開した状態のシート３と、該シート３に形成された多数の透孔５と、該透孔５を跨いだ状態で該シート３における収納袋の外面側に位置する面に取り付けられた帯状体７と、該帯状体７と透孔５との間の隙間に挿通される紐１１とよりなる収納袋組立用セット。【選択図】図１
0003135511.tif 000002
【実用新案登録請求の範囲】
【請求項１】
収納袋を展開した状態のシートと、該シートに形成された多数の透孔と、該透孔を跨いだ状態で該シートにおける収納袋の外面側に位置する面に取り付けられた帯状体と、該帯状体と透孔との間の隙間に挿通される紐とよりなることを特徴とする収納袋組立用セット。
【請求項２】
収納袋を展開した状態のシートと、該シートに形成された多数の透孔と、該シートにおける各透孔の端縁近傍に取り付けられた結び紐通し孔と、該結び紐通し孔に挿通され結紐される結び紐と、該透孔に挿通される紐とよりなることを特徴とする収納袋組立用セット。
【請求項３】
収納袋を展開した状態のシートと、該シートに形成された多数の透孔と、該透孔に挿通され固定されるボタン体とよりなることを特徴とする収納袋組立用セット。
【考案の詳細な説明】
【技術分野】
【０００１】
本考案は、収納袋組立用セットに関するものであり、更に詳しくは、買い物袋、手提げ、カバン等として種々の用途に使用される収納袋を組立てるために必要な物を揃えてなる収納袋組立用セットに係るものである。
【背景技術】
【０００２】
実用新案登録第３０９０５４３号公報は、携帯用簡易買い物袋を開示している。この携帯用簡易買い物袋は、携行しているときはタバコ大の箱形であって、買い物の際には箱の蓋を開いて中に収納されている袋を引き出して物を収納することができるようにしたものである。
【０００３】
また、実開平６−５７８２７号公報は、底部を折畳み自在とすることにより、コンパクトに折り畳むことができるようにした買い物袋を開示している。
【特許文献１】実用新案登録第３０９０５４３号公報
【特許文献２】実開平６−５７８２７号公報
【考案の開示】
【考案が解決しようとする課題】
【０００４】
上記買い物袋は、いずれも、使用者が完成品を購入して使用するものであり、使用者が自ら組み立てて完成させるものではない。
【０００５】
本考案は、使用者が自ら工夫しつつ組み立てることをも楽しむようにしたものであって、スーパーマーケット等の小売店において購入者に提供される合成樹脂製の買い物袋に代えていわゆる「マイバッグ」ないし「エコバッグ」としても使用することができる収納袋を組立てるための収納袋組立用セットを提供しようとしてなされたものである。
【課題を解決するための手段】
【０００６】
上記課題を解決するために、本考案は、下記の収納袋組立用セットを提供する。
【０００７】
（１）収納袋を展開した状態のシートと、該シートに形成された多数の透孔と、該透孔を跨いだ状態で該シートにおける収納袋の外面側に位置する面に取り付けられた帯状体と、該帯状体と透孔との間の隙間に挿通される紐とよりなることを特徴とする収納袋組立用セット（請求項１）。
【０００８】
（２）収納袋を展開した状態のシートと、該シートに形成された多数の透孔と、該シートにおける各透孔の端縁近傍に取り付けられた結び紐通し孔と、該結び紐通し孔に挿通され結紐される結び紐と、該透孔に挿通される紐とよりなることを特徴とする収納袋組立用セット（請求項２）。
【０００９】
（３）収納袋を展開した状態のシートと、該シートに形成された多数の透孔と、該透孔に挿通され固定されるボタン体とよりなることを特徴とする収納袋組立用セット（請求項３）。
【考案の効果】
【００１０】
［請求項１の考案］
使用者は、収納袋組立用セットを用いて収納袋を組立てる。すなわち、シートの透孔を跨ぐ帯状体と透孔との間の隙間に紐を挿通させることにより、収納袋を組立てる。収納袋を組立てる際に、収納袋を展開した状態のシートにおける各部をどのように組み合わせるかは、使用者の随意である。例えば、左右一対の正面構成部のうちのいずれを外側に出すかは使用者の自由であり、左右一対の背面構成部のうちのいずれを外側に出すかは使用者の自由である。
【００１１】
例えば、内側に位置する正面構成部の帯状体を外側に位置する正面構成部の透孔より外方に引き出して外側の正面構成部における帯状体の内側に位置させた状態で紐を当該両帯状体と外側の正面構成部における透孔との間の隙間に挿通させることにより、内外の正面構成部を相互に止着させることができる。図４、図５、図３参照。背面構成部についても、同様である。
【００１２】
また、使用者の好みにより、一部の帯状体については、紐を帯状体と透孔との間の隙間に挿通させることなく、紐を該帯状体の外面上を通過させてもよい。図６、図３参照。
【００１３】
帯状体は、シートにおける収納袋の外面側に位置する面に取り付けられているため、帯状体は収納袋の意匠上重要なポイントとなる。
【００１４】
また、帯状体の色を相互に異ならしめ、あるいは帯状体の色をシートの色と異ならしめることにより、収納袋の意匠上の面白さは一層向上する。
【００１５】
使用者は自ら工夫しつつ組み立てることを楽しむことができる。
【００１６】
使用者は、収納袋組立用セットを組立て前のコンパクトな状態で携行し、使用の直前に収納袋に組立てることもできる。すなわち、この場合には、収納袋組立用セットをいわば風呂敷の如く使用するのである。
【００１７】
組立てられた収納袋は、スーパーマーケット等の小売店において購入者に提供される合成樹脂製の買い物袋に代えていわゆる「マイバッグ」ないし「エコバッグ」としても使用することができる。このように、合成樹脂製の買い物袋の使用量を削減することにより、環境に対する負荷を軽減することができる。
【００１８】
［請求項２の考案］
例えば、内側に位置する正面構成部の結び紐通し孔と外側に位置する正面構成部の結び紐通し孔とに結び紐を挿通させ、結紐することにより、内外の正面構成部を相互に止着させることができる。図９、図１０参照。背面構成部についても、同様である。
【００１９】
［請求項３の考案］
例えば、内側に位置する正面構成部の透孔と外側に位置する正面構成部の透孔とにボタン体を挿通固定することにより、内外の正面構成部を相互に止着させることができる。図１１、図１２参照。背面構成部についても、同様である。
【考案を実施するための最良の形態】
【００２０】
まず、図１〜図９に示す事例について説明する。
【００２１】
この事例における収納袋組立用セットは、収納袋１を展開した状態のシート３と、該シート３に形成された多数の透孔５、５・・・と、該透孔５、５・・・を跨いだ状態で該シート３における収納袋１の外面側に位置する面３ａに取り付けられた帯状体７、７・・・と、該帯状体７、７・・・と透孔５、５・・・との間の隙間９に挿通される紐１１とよりなる。なお、各帯状体７は、その長さの如何を問うものではない。例えば、図９に示す帯状体７は透孔５よりも若干長い程度の極めて短いものである。
【００２２】
図１において、符号１３、符号１５に示す鎖線は折り曲げ部であり、符号１６に示す実線は切り込み線である。
【００２３】
図１に示すシート３において、折り曲げ部１３、１３、１５、１５に囲まれた部分は底面構成部１７であり、該底面構成部１７は折り曲げ部１５、１５を介して左右の端面構成部１９ａ、１９ｂに連続し、一方の端面構成部１９ａは折り曲げ部１３、１３を介して一方の正面構成部２１ａと背面構成部２３ａとに連続し、他方の端面構成部１９ｂは折り曲げ部１３、１３を介して他方の正面構成部２１ｂと背面構成部２３ｂとに連続している。
【００２４】
この事例においては、例えば、内側に位置する正面構成部２１ｂの帯状体７を外側に位置する正面構成部２１ａの透孔５より外方に引き出して外側の正面構成部２１ａにおける帯状体７の内側に位置させた状態で紐１１を当該両帯状体１１、１１と外側の正面構成部２１ａにおける透孔５との間の隙間９に挿通させることにより、内外の正面構成部２１ａ、２１ｂを相互に止着させることができる。図４、図５参照。
【００２５】
底面構成部１７は折り曲げ部１３、１３を介して正面延長部２５と背面延長部２７とに連続している。
【００２６】
正面延長部２５と背面延長部２７は、それぞれ縁部に挿通孔２９を備えている。
【００２７】
正面延長部２５と背面延長部２７との各挿通孔２９に紐１１を挿通させることにより、正面延長部２５と背面延長部２７とをそれぞれ正面構成部２１ａ（２１ｂ）と背面構成部２３ａ（２３ｂ）とに止着することができる。
【００２８】
図７に示す収納袋１においては、帯状体７の色が図２、図３に示す収納袋１の帯状体７の色と異なる。
【００２９】
図９、図１０に示す事例における収納袋組立用セットは、収納袋１を展開した状態のシート３と、該シート３に形成された多数の透孔５、５・・・と、該シート３における各透孔５の端縁近傍に取り付けられた結び紐通し孔３１、３１と、該結び紐通し孔３１、３１に挿通され結紐される結び紐３３と、該透孔５に挿通される紐１１とよりなる。各結び紐通し孔３１には、好ましくは、鳩目３２を備えさせる。
【００３０】
結び紐３３は、結び紐通し孔３１、３１に挿通した後、結紐する。紐１１は、透孔５に挿通されるのであるが、必ずしもすべての透孔５に挿通させる必要はない。例えば図９においては、意匠上の変化をつけるために、最上部の透孔５については、紐１１を挿通させていない。
【００３１】
この事例においては、例えば、内側に位置する正面構成部２１ｂの結び紐通し孔３１と外側に位置する正面構成部２１ａの結び紐通し孔３１とに結び紐３３を挿通させ、結紐することにより、内外の正面構成部２１ａ、２１ｂを相互に止着させることができる。
【００３２】
図１１、図１２に示す事例における収納袋組立用セットは、収納袋１を展開した状態のシート３と、該シート３に形成された多数の透孔５、５・・・と、該透孔５、５・・・に挿通され固定されるボタン体４１、４１・・・とよりなる。
【００３３】
ボタン体４１は、例えば、内側に位置する正面構成部２１ｂの透孔５と外側に位置する正面構成部２１ａの透孔５とに挿通固定することにより、内外の正面構成部２１ａ、２１ｂを相互に止着させることができるものであれば、如何なるものであってもよく、一例として雌雄一対のボタン体構成部４１ａ、４１ｂとよりなる。
【図面の簡単な説明】
【００３４】
【図１】収納袋を展開した状態のシートと紐とを示す平面図である。
【図２】収納袋の一例を示す正面図である。
【図３】収納袋の別の一例を示す正面図である。
【図４】収納袋の断面図である。
【図５】図３のＶ−Ｖ線における断面図である。
【図６】図３のＶＩ−ＶＩ線における断面図である。
【図７】収納袋の更に別の一例を示す正面図である。
【図８】収納袋における透孔を示す正面図である。
【図９】収納袋の更に別の一例を示す正面図である。
【図１０】収納袋の更に別の一例を示す正面図である。
【図１１】図９のＸＩ−ＸＩ線における断面図である。
【図１２】収納袋の更に別の一例を示す正面図である。
【図１３】図１１のＸＩＩＩ−ＸＩＩＩ線における断面図である。
【符号の説明】
【００３５】
１  収納袋
３  シート
３ａ  収納袋の外面側に位置する面
５  透孔
７  帯状体
９  隙間
１１  紐
１３  折り曲げ部
１５  折り曲げ部
１６  切り込み線
１７  底面構成部
１９ａ  端面構成部
１９ｂ  端面構成部
２１ａ  正面構成部
２１ｂ  正面構成部
２３ａ  背面構成部
２３ｂ  背面構成部
２５  正面延長部
２７  背面延長部
２９  挿通孔
３１  結び紐通し孔
３２  鳩目
３３  結び紐
４１  ボタン体
４１ａ  ボタン体構成部
４１ｂ  ボタン体構成部
【図１】
0003135511.tif 000003
【図２】
0003135511.tif 000004
【図３】
0003135511.tif 000005
【図４】
0003135511.tif 000006
【図５】
0003135511.tif 000007
【図６】
0003135511.tif 000008
【図７】
0003135511.tif 000009
【図８】
0003135511.tif 000010
【図９】
0003135511.tif 000011
【図１０】
0003135511.tif 000012
【図１１】
0003135511.tif 000013
【図１２】
0003135511.tif 000014
【図１３】
0003135511.tif 000015